(57)【要約】【課題】  家庭等において簡単な心電センサーと心電計プログラムを内蔵した多機能携帯端末により、異変を早急に発見しおよび救命の機会を逃がさないこと。【解決手段】  粘着パッドに電極を介して装着される近距離通信機器を内蔵するセンサーと、心電計プログラムを内蔵した多機能携帯端末が近距離無線方式で接続され被験者の異常を検出した場合、当該多機能携帯端末は、所定の電話番号に通知し、またはそれ自体が鳴動することによって第三者に被験者の異常を知らせる。【選択図】図１
2015020050.tif 000002
【特許請求の範囲】
【請求項１】
胸部に装着するパッチの装着面に複数の電極が所定の間隔を有して設けられるとともに、このパッチの装着面の反対側面であって、前記電極の対応する位置にそれぞれに接続部が設けられる電極パッチと、
複数の前記電極に対応してそれぞれセンサー電極が設けられ、前記接続部で接続されて、前記電極からの信号を受けて、信号を受信する心電計測し、外部に適宜な無線手段により信号を発する心電センサーであって、
前記電極パッチと前記心電センサーの接続部は、一方側が凹部、他方側が凸の金属ホックで構成され、それぞれ接続部を介して信号を通過させることを特徴とする心電計システム。
【請求項２】
前記心電計システムにおいて
この心電センサーの計測信号を多機能携帯端末に送信し、心電図に異常が発生した場合、多機能携帯端末より、外部へ警報メールや電話発信を行うことを特徴とする心電計システム。
【発明の詳細な説明】
【技術分野】
【０００１】  本発明は、被験者の胸部に電極を装着し、リモートで心電図波形を常時モニタする心電モニタシステムに関するものである。
【背景技術】
【０００２】  心臓に疾患のある人や高齢者などが、突然死するケースが少なくない。その中にはもしそばに誰かがいて異常に気が付けば助かる場合もあるといわれている。【０００３】  そのため、携帯できる心電計があるのが望ましく、最近は携帯用にコンパクトな心電計も登場しているが、まだ装着に違和感がある。【０００４】  また、心電計を携帯し、装着できても装着した本人が異常の場合には、本人は勿論、第三者も気が付くためには専門家の目でモニタする必要がある。【０００５】これらの問題を解決するためにいくつかの提案がされている。
【先行技術文献】
【特許文献】
【０００６】
【特許文献１】特開２００４−１３５７５７号公報
【特許文献２】特許３４５１８９７号公報
【発明の概要】
特許文献１は心拍の拍動間隔を検出して拍動間隔データを記憶する心拍情報検出機と、前記心拍情報検出機で得られた拍動間隔データのゆらぎから健康状態を判定するサーバと、通信ネットワーク手段と、前記心拍情報検出機の拍動間隔データを前記通信ネットワーク手段を介して前記サーバに送信するとともに、前記サーバで判定された健康状態を前記通信ネットワーク手段を介して受信し表示する情報通信端末機とから構成することにより、利用者側の機器に搭載しておく機能は必要最小限にできる。しかし被験者の身体に大掛かりなものが設置されるため手軽とは言い難い。
【０００７】  特許文献２は、検出端子を患者に装着して心電図波形を測定する心電図計と、前記心電図波形を読取り、時系列的に波形メモリに記憶させると共に、その心電図波形が正常か異常かを判断する読取判断手段と、前記心電図波形が異常でありかつその異常が継続的である場合には異常の程度をレベル分けする異常検出手段と、異常のレベルに応じて、異なる通話先電話番号と、各通話先に関連する内容の送出メッセージをあらかじめ記憶した情報メモリと、前記異常検出手段から通知される異常レベルに基づいて前記情報メモリおよび波形メモリから電話番号、送出メッセージ、心電図波形データを選択的に読み出し、電話器を介して所定の相手先を自動呼出しした後前記送出メッセージないし心電図波形データを選択的に送出する電話起動手段を備えているが、患者に常時装着するには大掛かりなものとなってしまう。
【発明が解決しようとする課題】
【０００８】  本発明においては、家庭等において簡単な心電計センサーと心電計プログラムを内蔵した多機能携帯端末により、異変を早急に発見し救命の機会を逃がさないことを目的としている。
【課題を解決するための手段】
【０００９】  本発明の請求項１においては、胸部に装着するパッチの装着面に複数の電極が所定の間隔を有して設けられるとともに、このパッチの装着面の反対側面であって、前記電極の対応する位置にそれぞれに接続部が設けられる使い捨て電極パッチと、
複数の前記電極に対応してそれぞれセンサー電極が設けられ、前記接続部で接続されて、前記電極からの信号を受けて、信号を受信する心電計測し、外部に適宜な無線手段により信号を発する心電センサーであって
前記電極パッチと前記心電センサーの接続部は、一方側が凹部、他方側が凸のスナップボタン状の金属ホックで構成され、それぞれ接続部を介して信号を通過させることを特徴とする心電計システムである。【０００８】  本発明の請求項２は、前記心電センサーと当該センサーからの信号を近距離通信機能で受信して処理できる多機能携帯端末の心電計プログラムを備え、
この心電センサーの計測信号を多機能携帯端末に送信し、当該多機能携帯端末の心電計プログラムが被験者の異常を検出した場合、多機能携帯端末より、外部へ警報メールや電話発信を行うことを特徴とする心電計システムである。
【発明の効果】
【０００９】  本発明によれば、家庭などにおいて簡単な設備で被験者の異常を検出し第三者へ通知することにより、救命率の向上につながる。
【図面の簡単な説明】
【００１０】
【図１】本発明の全体構成を示した説明図である。
【図２】本発明の心電センサーの電極パッチとの接続面を示した説明図である。
【図３】本発明の心電センサーと電極パッチとの接続状態を示した断面説明図である。
【発明を実施するための形態】
【００１１】  図１乃至３において、心電センサー１は、被験者の皮膚に電極３を密着させて装着する電極パッチ２と、金属スナップボタンの形状の接続部４によって接続されている。
【００１２】  図３に基づいて、心電センサー１と電極パッチ２、被験者の胸部に装着する電極３の関係について詳細に説明する。電極パッチ２は、不織布などで構成されるシートの下部に電極３が設けられ、シートの上部に導通部４ｃを介して台座４ｂとくびれ部を有する凸部４ａからなるスナップボタンの挿入部が形成されている。一方、心電センサー１の下部には、金属スナップボタンの凸部４ａを受け入れる凹部１ｂと、凹部１ｂの内部に凸部４ａのくびれ部によって拘束する拘束ピン１ｂが設けられている。
【００１３】  心電センサーと凹部１ａ、１ｂは、内部で電気信号を受信できるように接続されている。このように、電極３、及び金属スナップボタンが導通部４ｃによって、被験者の測定信号は、心電センサーに直接電気的に接続され、コードレスの環境が構成される。
【００１４】  なお、電極パッチ２の被験者への装着面であるシート面には、医療用の接着材が塗布されていて、通常は剥離シートで覆われていて、使用時に剥離シートを剥がして使用できるようになっている。電極パッチ２は、使い捨てとして、安価に供給できる。
【００１５】  心電センサー１は近距離無線方式（Ｂｌｕｅｔｏｏｔｈ（登録商標）など）により多機能携帯端末５に接続されている。多機能携帯端末５には心電計プログラムが内蔵され、心電センサー１より送られたデータをもとに心電計として動作するようになっている。図３は、心電センサー１の厚さをデフォルメして記載しているが、１０ｍｍ以下で、重量も２０ｇ程度で構成でき、装着に際しても違和感なく装着できるようになっている。
【００１６】  多機能携帯端末５には、心電計により被験者に異常が発生した場合にはあらかじめ登録された家族や関係者に電話やメールで異常を通知する警報システムにより、周囲の人間が対応できるようになっている。本発明では、心電センサーと被験者に装着する電極との接続をコードなどで接続せず、直接接続し、さらに心電センサーが測定した、情報をＢｌｕｅｔｏｏｔｈ（登録商標）などの無線システムなどで外部の解析装置（多機能携帯端末５）に送信している。
【００１７】  従って、被験者が接続コードを引っ掛けて、電極や心電センサーを外してしまうという事故もなく、安定した状態で心電測定が出来る。また、上述の警報システムにより常時監視できるので救命率が飛躍的に向上する。
【符号の説明】
【００１８】１  心電センサー
１ａ  凹部
１ｂ  拘束ピン
２  電極パッチ
３  電極
４  接続部
４ａ  凸部
４ｂ  台座
４ｃ  導通部
５  多機能携帯端末
【図１】
2015020050.tif 000003
【図２】
2015020050.tif 000004
【図３】
2015020050.tif 000005